(57)【要約】【課題】複写に失敗したページの複写物を残すことなく、所望の複写物を得ることができる画像形成装置及びプログラムを提供する。【解決手段】画像形成装置１０は。複写回数が制限された原稿を複写する場合に、原稿のページを読み取って得られた読取画像を複写済み画像として取得する取得部３０と、取得部３０により取得された複写済み画像のページに対応するページ情報を登録し、ページを複写不可の状態にする登録部３２と、複写に失敗したページの複写物を読み取って得られた読取画像が、取得部３０により取得された複写済み画像の中に存在する場合に、複写済み画像のページに対応するページ情報を削除し、ページを再複写可能な状態にする削除部３４と、削除部３４によりページ情報が削除された複写物を使用不可にする機構に関する制御を行う機構制御部３６と、を備える。【選択図】図２
2020134696.tif 000002
【特許請求の範囲】
【請求項１】
複写回数が制限された原稿を複写する場合に、前記原稿のページを読み取って得られた読取画像を複写済み画像として取得する取得部と、
前記取得部により取得された複写済み画像のページに対応するページ情報を登録し、前記ページを複写不可の状態にする登録部と、
複写に失敗したページの複写物を読み取って得られた読取画像が、前記取得部により取得された複写済み画像の中に存在する場合に、前記複写済み画像のページに対応するページ情報を削除し、前記ページを再複写可能な状態にする削除部と、
前記削除部により前記ページ情報が削除された複写物を使用不可にする機構に関する制御を行う制御部と、
を備えた画像形成装置。
【請求項２】
前記機構は、廃棄ボックスであり、
前記制御部は、前記削除部により前記ページ情報が削除された複写物を前記廃棄ボックスに搬送し、前記廃棄ボックス内に前記複写物を収容する制御を行う請求項１に記載の画像形成装置。
【請求項３】
前記制御部は、前記複写に失敗したページの複写物の読取画像が前記取得部により取得された複写済み画像の中に存在しない場合に、前記複写物を前記廃棄ボックスに収容することなく、前記複写物を外部に排出する制御を行う請求項２に記載の画像形成装置。
【請求項４】
前記機構は、画像形成部であり、
前記制御部は、前記削除部により前記ページ情報が削除された複写物を前記画像形成部に搬送し、前記画像形成部を用いて、前記複写物に記載の情報が識別不可になるように前記複写物に画像を形成する制御を行う請求項１に記載の画像形成装置。
【請求項５】
前記制御部は、前記複写に失敗したページの複写物の読取画像が前記取得部により取得された複写済み画像の中に存在しない場合に、前記画像形成部を用いて前記複写物に画像を形成することなく、前記複写物を外部に排出する制御を行う請求項４に記載の画像形成装置。
【請求項６】
前記機構は、裁断装置であり、
前記制御部は、前記削除部により前記ページ情報が削除された複写物を前記裁断装置に搬送し、前記裁断装置を用いて、前記複写物を裁断する制御を行う請求項１に記載の画像形成装置。
【請求項７】
前記制御部は、前記複写に失敗したページの複写物の読取画像が前記取得部により取得された複写済み画像の中に存在しない場合に、前記裁断装置を用いて前記複写物を裁断することなく、前記複写物を外部に排出する制御を行う請求項６に記載の画像形成装置。
【請求項８】
コンピュータを、請求項１〜７のいずれか１項に記載の画像形成装置が備える各部として機能させるためのプログラム。
【発明の詳細な説明】
【技術分野】
【０００１】
本発明は、画像形成装置及びプログラムに関する。
【背景技術】
【０００２】
例えば、特許文献１には、書籍を含む刊行物に貼付されたＩＣタグのリーダ／ライタを備えると共に、刊行物のコピー画像を印字する画像形成装置が記載されている。この画像形成装置は、リーダ／ライタにより、ＩＣタグに予め記録された当該刊行物の著作権に関する情報と総ページ数の情報とを読み取る著作権関連情報読取手段と、リーダ／ライタにより読み取った著作権に関する情報を基に、当該刊行物の著作権が有効かどうかを判定する著作権有効判定手段と、を備える。また、この画像形成装置は、リーダ／ライタにより読み取った刊行物の総ページ数に関する情報を基に、当該刊行物についてのコピー可能なページ数を算出するコピー可能ページ数算出手段と、刊行物についてのコピーされたページ数をカウントするコピーページ数カウント手段と、を備える。また、この画像形成装置は、コピー可能ページ数算出手段より求めたコピー可能ページ数の情報と、コピーページ数カウント手段によりカウントしたコピーページ数の情報を基に、刊行物がコピー可能ページ数を超えてコピーされようとしているか否か、またはコピー可能ページ数を超えてコピーされたか否かを判定するコピーページ数判定手段を備える。また、画像形成装置は、コピーページ数判定手段により、当該刊行物についてのコピー可能なページ数を超えてコピーが行なわれようとしていると判定した場合、またはコピー可能なページ数を超えてコピーが行なわれたと判定した場合に、警告情報を発生する警告情報発生手段を備える。
【０００３】
また、特許文献２には、著作権法の規定に違反する複写を制限・防止する複写装置が記載されている。この複写装置は、ユーザを特定するユーザ識別情報と、学問や知識に応じて分類された図書の分類情報であり、ユーザが複写を許可されている第１分類情報とを対応付けて記憶し、複写原稿を特定する原稿識別情報と、複写原稿が属する分類の情報であり、第１分類情報に用いられる分類法と同じ分類法によって分類された図書の分類情報である第２分類情報とを対応付けて記憶し、かつユーザ識別情報及び原稿識別情報と、ユーザ毎の過去に複写した複写原稿の履歴を示す複写履歴情報とを対応付けて記憶する記憶装置を備える。この複写装置は、ユーザ識別情報を取得するユーザ識別情報取得手段と、ユーザ識別情報取得手段が取得したユーザ識別情報に対応付けられている第１分類情報を記憶装置から取得する第１取得手段と、原稿識別情報を取得する原稿識別情報取得手段と、原稿識別情報取得手段が取得した原稿識別情報と対応付けられている第２分類情報を記憶装置から取得する第２取得手段と、第１取得手段が取得した第１分類情報と第２取得手段が取得した第２分類情報とを比較することにより、第２分類情報が第１分類情報に含まれているか否かを判定する複写制御手段と、複写原稿のページ番号を識別するページ識別手段と、を備える。
【先行技術文献】
【特許文献】
【０００４】
【特許文献１】特開２００６−９１７１７号公報
【特許文献２】特許第４３７２６６８号公報
【発明の概要】
【発明が解決しようとする課題】
【０００５】
ところで、複写回数が制限された原稿がある。例えば、図書館等において書籍を複写する場合、著作権法の関係で、自由な複写が許可されていない。例えば、「一人につき一部」や、「総ページ数の所定割合（例えば５０％）まで」等の制限がかけられている。一方で、複写回数が制限された原稿のページの複写に失敗する場合がある。複写に失敗したページの複写物は、複写物としては用をなさないが、複写ページとしてはカウントされるため、再複写ができない場合がある。つまり、複写回数が制限された原稿のあるページの複写に失敗した場合、失敗したページの複写物が残ってしまう上に、失敗したページを再複写することができず、所望の複写物を得ることができない場合がある。
【０００６】
本発明は、複写に失敗したページの複写物を残すことなく、所望の複写物を得ることができる画像形成装置及びプログラムを提供することを目的とする。
【課題を解決するための手段】
【０００７】
上記目的を達成するために、第１態様に係る画像形成装置は、複写回数が制限された原稿を複写する場合に、前記原稿のページを読み取って得られた読取画像を複写済み画像として取得する取得部と、前記取得部により取得された複写済み画像のページに対応するページ情報を登録し、前記ページを複写不可の状態にする登録部と、複写に失敗したページの複写物を読み取って得られた読取画像が、前記取得部により取得された複写済み画像の中に存在する場合に、前記複写済み画像のページに対応するページ情報を削除し、前記ページを再複写可能な状態にする削除部と、前記削除部により前記ページ情報が削除された複写物を使用不可にする機構に関する制御を行う制御部と、を備えている。
【０００８】
また、第２態様に係る画像形成装置は、第１態様に係る画像形成装置において、前記機構が、廃棄ボックスであり、前記制御部が、前記削除部により前記ページ情報が削除された複写物を前記廃棄ボックスに搬送し、前記廃棄ボックス内に前記複写物を収容する制御を行う。
【０００９】
また、第３態様に係る画像形成装置は、第２態様に係る画像形成装置において、前記制御部が、前記複写に失敗したページの複写物の読取画像が前記取得部により取得された複写済み画像の中に存在しない場合に、前記複写物を前記廃棄ボックスに収容することなく、前記複写物を外部に排出する制御を行う。
【００１０】
また、第４態様に係る画像形成装置は、第１態様に係る画像形成装置において、前記機構が、画像形成部であり、前記制御部が、前記削除部により前記ページ情報が削除された複写物を前記画像形成部に搬送し、前記画像形成部を用いて、前記複写物に記載の情報が識別不可になるように前記複写物に画像を形成する制御を行う。
【００１１】
また、第５態様に係る画像形成装置は、第４態様に係る画像形成装置において、前記制御部が、前記複写に失敗したページの複写物の読取画像が前記取得部により取得された複写済み画像の中に存在しない場合に、前記画像形成部を用いて前記複写物に画像を形成することなく、前記複写物を外部に排出する制御を行う。
【００１２】
また、第６態様に係る画像形成装置は、第１態様に係る画像形成装置において、前記機構が、裁断装置であり、前記制御部が、前記削除部により前記ページ情報が削除された複写物を前記裁断装置に搬送し、前記裁断装置を用いて、前記複写物を裁断する制御を行う。
【００１３】
また、第７態様に係る画像形成装置は、第６態様に係る画像形成装置において、前記制御部が、前記複写に失敗したページの複写物の読取画像が前記取得部により取得された複写済み画像の中に存在しない場合に、前記裁断装置を用いて前記複写物を裁断することなく、前記複写物を外部に排出する制御を行う。
【００１４】
更に、上記目的を達成するために、第８態様に係るプログラムは、コンピュータを、第１態様〜第７態様のいずれか１の態様に係る画像形成装置が備える各部として機能させる。
【発明の効果】
【００１５】
第１態様及び第８態様によれば、複写に失敗したページの複写物を残すことなく、所望の複写物を得ることができる、という効果を有する。
【００１６】
第２態様によれば、廃棄ボックス内に複写物を収容しない場合と比較して、複写物を適切に使用不可にすることができる、という効果を有する。
【００１７】
第３態様によれば、複写物の読取画像が複写済み画像の中に存在するか否かに係わらず複写物を廃棄ボックスに収容する場合と比較して、複写物が不必要に使用不可にされることを抑制することができる、という効果を有する。
【００１８】
第４態様によれば、複写物に記載の情報が識別不可になるように画像を形成しない場合と比較して、複写物を適切に使用不可にすることができる、という効果を有する。
【００１９】
第５態様によれば、複写物の読取画像が複写済み画像の中に存在するか否かに係わらず複写物に画像を形成する場合と比較して、複写物が不必要に使用不可にされることを抑制することができる、という効果を有する。
【００２０】
第６態様によれば、複写物を裁断しない場合と比較して、複写物を適切に使用不可にすることができる、という効果を有する。
【００２１】
第７態様によれば、複写物の読取画像が複写済み画像の中に存在するか否かに係わらず複写物を裁断する場合と比較して、複写物が不必要に使用不可にされることを抑制することができる、という効果を有する。
【図面の簡単な説明】
【００２２】
【図１】実施形態に係る画像形成装置の電気的な構成の一例を示すブロック図である。
【図２】実施形態に係る画像形成装置の機能的な構成の一例を示すブロック図である。
【図３】実施形態に係るユーザＤＢの一例を示す図である。
【図４】実施形態に係る原稿ＤＢの一例を示す図である。
【図５】実施形態に係るページＤＢの一例を示す図である。
【図６】実施形態に係る複写制御プログラムの処理の流れの一例を示すフローチャートである。
【図７】実施形態に係る複写制御プログラムの処理の流れの一例を示すフローチャートであり、図６に示すフローチャートの続きである。
【図８】複写物を使用不可にする機構として廃棄ボックスを適用した場合の画像形成装置の動作の説明に供する図である。
【図９】複写物を使用不可にする機構として画像形成部を適用した場合の画像形成装置の動作の説明に供する図である。
【図１０】複写物を使用不可にする読取機能付きシュレッダーの動作の説明に供する図である。
【発明を実施するための形態】
【００２３】
以下、図面を参照して、本発明を実施するための形態の一例について詳細に説明する。
【００２４】
図１は、本実施形態に係る画像形成装置１０の電気的な構成の一例を示すブロック図である。
図１に示すように、本実施形態に係る画像形成装置１０は、制御部１２と、記憶部１４と、表示部１６と、操作部１８と、画像形成部２０と、原稿読取部２２と、通信部２４と、を備えている。
【００２５】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００２６】
Ｉ／Ｏ１２Ｄには、記憶部１４と、表示部１６と、操作部１８と、画像形成部２０と、原稿読取部２２と、通信部２４と、を含む各機能部が接続されている。これらの各機能部は、Ｉ／Ｏ１２Ｄを介して、ＣＰＵ１２Ａと相互に通信可能とされる。
【００２７】
制御部１２は、画像形成装置１０の一部の動作を制御するサブ制御部として構成されてもよいし、画像形成装置１０の全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００２８】
記憶部１４としては、例えば、ＨＤＤ（Hard Disk Drive）、ＳＳＤ（Solid State Drive）、フラッシュメモリ等が用いられる。記憶部１４には、本実施形態に係る複写制御プログラム１４Ａが記憶されている。なお、この複写制御プログラム１４Ａは、ＲＯＭ１２Ｂに記憶されていてもよい。また、記憶部１４には、後述するユーザデータベース（以下、「ユーザＤＢ」という。）１４Ｂ、原稿データベース（以下、「原稿ＤＢ」という。）１４Ｃ、及びページデータベース（以下、「ページＤＢ」という。）１４Ｄが記憶されている。これらのユーザＤＢ１４Ｂ、原稿ＤＢ１４Ｃ、及びページＤＢ１４ＤもＲＯＭ１２Ｂに記憶されていてもよい。
【００２９】
複写制御プログラム１４Ａは、例えば、画像形成装置１０に予めインストールされていてもよい。複写制御プログラム１４Ａは、不揮発性の記憶媒体に記憶して、又はネットワークを介して配布して、画像形成装置１０に適宜インストールすることで実現してもよい。なお、不揮発性の記憶媒体の例としては、ＣＤ-ＲＯＭ（Compact Disc Read Only Memory）、光磁気ディスク、ＨＤＤ、ＤＶＤ-ＲＯＭ（Digital Versatile Disc Read Only Memory）、フラッシュメモリ、メモリカード等が想定される。
【００３０】
表示部１６には、例えば、液晶ディスプレイ（ＬＣＤ:Liquid Crystal Display）や有機ＥＬ（Electro Luminescence）ディスプレイ等が用いられる。表示部１６は、タッチパネルを一体的に有している。操作部１８には、テンキーやスタートキー等の各種の操作キーが設けられている。表示部１６及び操作部１８は、画像形成装置１０のユーザから各種の指示を受け付ける。この各種の指示には、例えば、原稿の読み取りを開始させる指示や、原稿のコピーを開始させる指示等が含まれる。表示部１６は、ユーザから受け付けた指示に応じて実行された処理の結果や、処理に対する通知等の各種の情報を表示する。
【００３１】
原稿読取部２２は、画像形成装置１０の上部に設けられた図示しない自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。
【００３２】
画像形成部２０は、原稿読取部２２による読み取りによって得られた画像情報、又は、ネットワークを介して接続された外部のパーソナルコンピュータ（ＰＣ：Personal Computer）等から得られた画像情報に基づく画像を、紙等の記録媒体に形成する。なお、本実施形態においては、画像を形成する方式として、電子写真方式を例示して説明するが、インクジェット方式等の他の方式を採用してもよい。
【００３３】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００３４】
通信部２４は、ネットワークに接続されており、外部のＰＣとの間でネットワークを介して通信が可能とされる。通信部２４とネットワークとは有線で接続されていてもよいし、無線で接続されていてもよい。なお、ネットワークには、一例として、インターネットや、ＬＡＮ（Local Area Network）、ＷＡＮ（Wide Area Network）等が適用される。
【００３５】
ところで、上述したように、複写回数が制限された原稿のあるページの複写に失敗した場合に、失敗したページの複写物が残ってしまう上に、失敗したページを再複写することができず、所望の複写物を得ることができない場合がある。
【００３６】
このため、本実施形態に係る画像形成装置１０のＣＰＵ１２Ａは、記憶部１４に記憶されている複写制御プログラム１４ＡをＲＡＭ１２Ｃに書き込んで実行することにより、図２に示す各部として機能する。
【００３７】
図２は、本実施形態に係る画像形成装置１０の機能的な構成の一例を示すブロック図である。
図２に示すように、本実施形態に係る画像形成装置１０のＣＰＵ１２Ａは、取得部３０、登録部３２、削除部３４、及び機構制御部３６として機能する。機構制御部３６は、制御部の一例である。また、記憶部１４には、上述したように、ユーザＤＢ１４Ｂ、原稿ＤＢ１４Ｃ、及びページＤＢ１４Ｄが記憶されている。
【００３８】
図３は、本実施形態に係るユーザＤＢ１４Ｂの一例を示す図である。
図３に示すユーザＤＢ１４Ｂには、画像形成装置１０を利用可能なユーザのユーザＩＤ（Identification）及び氏名をはじめ、図示は省略するが、ユーザの電話番号や住所等が登録されている。ユーザＩＤとは、ユーザを識別するためにユーザ毎に付与された識別情報である。ユーザＩＤには、一例として、ユーザ毎の識別番号や、ユーザの生体情報（指紋等）等が用いられる。ユーザＩＤとして識別番号を用いる場合には、識別番号が記憶された接触式あるいは非接触式のＩＤカードを用いてユーザの識別が行われる。なお、図３〜図５に示す（Ｋ）はＤＢのキーを表している。
【００３９】
図４は、本実施形態に係る原稿ＤＢ１４Ｃの一例を示す図である。
図４に示す原稿ＤＢ１４Ｃには、複写対象となる原稿の原稿ＩＤ、原稿名、総ページ数、及び複写可能回数をはじめ、図示は省略するが、原稿の著者名、出版社名等が登録されている。原稿ＩＤとは、複写対象となる原稿を識別するための原稿毎に付与された識別情報である。原稿ＩＤには、一例として、原稿毎の識別番号等が用いられる。原稿ＩＤとして識別番号を用いる場合には、識別番号が記憶されたＩＣタグや、バーコード、二次元コード等を原稿に付与しておくことにより原稿の識別が行われる。また、複写可能回数は、各原稿のページ毎に複写可能な回数を表しており、本実施形態では１ページ当たり１回（つまり、同一ページを重複して複写できない。）とされている。
【００４０】
図５は、本実施形態に係るページＤＢ１４Ｄの一例を示す図である。
図５に示すページＤＢ１４Ｄには、ユーザＩＤ、原稿ＩＤ、及び複写済みページを表すページ情報が対応付けられて登録されている。つまり、ユーザ毎にどの原稿の何ページ目を複写したかが登録される。一例として、ユーザＩＤ「ＵＩＤ００１」のユーザの場合、原稿ＩＤ「ＢＩＤ００１」の原稿の５ページ目及び６ページ目を複写していることが登録されている。このページＤＢ１４Ｄでは、各原稿について、複写済みページの１ページ毎に１レコード（１行）が割り当てられるため、レコード数をカウントすることで、原稿毎に複写したページの総数を得ることが可能とされる。
【００４１】
図２に戻り、本実施形態に係る取得部３０は、複写回数が制限された原稿を複写する場合に、原稿のページを読み取って得られた読取画像を複写済み画像として取得する。なお、ここでいう原稿には、一例として、１ページ当たりの複写回数が１回に制限された書籍が適用される。この書籍には、図書や雑誌等の書物全般が含まれる。
【００４２】
本実施形態に係る登録部３２は、取得部３０により取得された複写済み画像のページに対応するページ情報を、一例として、図５に示すページＤＢ１４Ｄに登録し、当該ページを複写不可の状態にする。つまり、図５に示すページＤＢ１４Ｄにページ情報が登録されたページは再複写が禁止される。具体的に、複写した原稿及びページの特定には、一例として、ＩＣタグや、バーコード、二次元コード等が用いられる。例えば、ＩＣタグを用いる場合、ＩＣタグには、原稿ＩＤ及びページＩＤが予め記憶されており、原稿を読み取る際に、原稿に付与されているＩＣタグを読み取ることで、原稿ＩＤ及びページＩＤが取得される。このページＩＤは、固有のページ番号を表しており、ページ情報の一例である。複写したページの特定には、文字認識（ＯＣＲ：Optical Character Recognition）を用いるようにしてもよい。この場合、一例として、原稿のフッタ等に記載されているページ番号を文字認識することにより、ページが特定される。
【００４３】
なお、画像形成装置１０には、ＩＣタグに対応した専用の読取装置（図示省略）を備えておく。バーコード又は二次元コードを用いる場合でも同様にして、画像形成装置１０に専用の読取装置を備えておくことで、原稿ＩＤ及びページＩＤが取得される。
【００４４】
本実施形態に係る削除部３４は、複写に失敗したページ（以下、単に「失敗ページ」ともいう。）の複写物を読み取って得られた読取画像が、取得部３０により取得された複写済み画像の中に存在するか否かを判定する。ここでいう失敗には、トレイの用紙の給紙方向を間違える（例えば、ＬＥＦ（Long edge Feed：横方向給紙）のところをＳＥＦ（Short Edge Feed：縦方向給紙）にする等。）、濃度の調整を間違える、等のケースが挙げられる。なお、複写済み画像は記憶部１４に記憶されており、削除部３４からアクセスが可能とされている。これらの画像の類似の判定には、一例として、公知のパターンマッチング法等が用いられる。なお、画像を比較する際に画像の傾きや色味等が異なっている場合がある。この場合、公知の傾き補正や色味補正等の手法を用いて調整を行った上で類似の判定を行うことが望ましい。そして、削除部３４は、失敗ページの複写物の読取画像が複写済み画像の中に存在すると判定した場合、複写済み画像に対応するページのページ情報を、一例として、図５に示すページＤＢ１４Ｄから削除し、当該ページを再複写可能な状態にする。
【００４５】
本実施形態に係る機構制御部３６は、削除部３４によりページＤＢ１４Ｄからページ情報が削除された複写物を使用不可にする機構に関する制御を行う。この使用不可にする機構の具体例については後述するが、本実施形態では、廃棄ボックス（図８参照）、画像形成部（図９参照）、及び裁断装置（図１０参照）が適用される。廃棄ボックスを適用した場合、機構制御部３６は、ページ情報が削除された複写物を廃棄ボックスに搬送し、廃棄ボックス内に複写物を収容する制御を行う。また、機構制御部３６は、失敗ページの複写物の読取画像が複写済み画像の中に存在しない場合に、複写物を廃棄ボックスに収容することなく、複写物を外部に排出する制御を行う。
【００４６】
また、画像形成部を適用した場合、機構制御部３６は、ページ情報が削除された複写物を画像形成部に搬送し、画像形成部を用いて、複写物に記載の情報が識別不可になるように複写物に画像を形成する制御を行う。また、機構制御部３６は、失敗ページの複写物の読取画像が複写済み画像の中に存在しない場合に、画像形成部を用いて複写物に画像を形成することなく、複写物を外部に排出する制御を行う。
【００４７】
また、裁断装置を適用した場合、機構制御部３６は、ページ情報が削除された複写物を裁断装置に搬送し、裁断装置を用いて、複写物を裁断する制御を行う。また、機構制御部３６は、失敗ページの複写物の読取画像が複写済み画像の中に存在しない場合に、裁断装置を用いて複写物を裁断することなく、複写物を外部に排出する制御を行う。
【００４８】
次に、図６及び図７を参照して、本実施形態に係る画像形成装置１０の作用を説明する。なお、図６は、本実施形態に係る複写制御プログラム１４Ａの処理の流れの一例を示すフローチャートである。また、図７は、図６に示すフローチャートの続きである。
【００４９】
まず、画像形成装置１０が、一例として、ユーザが持つＩＤカードを検知すると、複写制御プログラム１４Ａが起動され、以下の各ステップを実行する。
【００５０】
図６のステップ１００では、取得部３０が、上記で検知したＩＤカードから、ユーザＩＤを含むユーザ情報を取得する。
【００５１】
ステップ１０２では、取得部３０が、ステップ１００で取得したユーザＩＤが、一例として、図３に示すユーザＤＢ１４Ｂに登録されているか否かを判定し、登録されている場合に、当該ユーザをログオンする。
【００５２】
ステップ１０４では、取得部３０が、画像形成装置１０が複写モードに設定され、かつ、原稿台に原稿のあるページが置かれた状態で開始ボタンが操作されると、原稿読取部２２に対して、原稿のページの複写を開始するように指示する。ここでいう原稿とは、一例として、上述したように、１ページ当たりの複写回数が１回に制限された書籍である。
【００５３】
ステップ１０６では、取得部３０が、ステップ１０４での複写開始の指示に応じて、原稿読取部２２により原稿のページを読み取って得られた読取画像を複写済み画像として取得する。
【００５４】
ステップ１０８では、取得部３０が、ステップ１０６で取得した複写済み画像のページに対応するページ情報を取得する。このページ情報は、一例として、上述のＩＣタグ、バーコード、もしくは二次元コードから取得される。
【００５５】
ステップ１１０では、登録部３２が、ステップ１０８で取得したページ情報が、一例として、上述の図５に示すページＤＢ１４Ｄに登録されているか否かを判定する。当該ページ情報がページＤＢ１４Ｄに登録されていないと判定した場合（否定判定の場合）、ステップ１１２に移行し、当該ページ情報がページＤＢ１４Ｄに登録されていると判定した場合（肯定判定の場合）、ステップ１２２に移行する。
【００５６】
ステップ１１２では、登録部３２が、一例として、上述の図５に示すページＤＢ１４Ｄから、ユーザＩＤ及び原稿ＩＤを指定して複写済みページ総数を取得する。
【００５７】
ステップ１１４では、登録部３２が、ステップ１１２で取得した複写済みページ総数が閾値（一例として、原稿の総ページ数の半分）を超えているか否かを判定する。複写済みページ総数が閾値を超えていると判定した場合（肯定判定の場合）、図７のステップ１４０に移行し、複写済みページ総数が閾値以下であると判定した場合（否定判定の場合）、ステップ１１６に移行する。
【００５８】
ステップ１１６では、登録部３２が、ステップ１０８で取得したページ情報により表される複写済みページを、ユーザＩＤ及び原稿ＩＤに対応付けて、一例として、上述の図５に示すページＤＢ１４Ｄに登録し、当該ページ情報に対応するページを複写不可の状態とする。
【００５９】
ステップ１１８では、登録部３２が、ステップ１０６で取得した複写済み画像を、ユーザＩＤ、原稿ＩＤ、及び複写済みページに対応付けて、一例として、記憶部１４に記憶する。
【００６０】
ステップ１２０では、登録部３２が、画像形成部２０に対して、ステップ１１８で記憶した複写済み画像に対応する複写物を出力するように指示する。この指示を受けた画像形成部２０は、複写物を出力する。
【００６１】
ステップ１２２では、登録部３２が、原稿の次ページを複写するか否かを判定する。原稿の次ページを複写すると判定した場合（肯定判定の場合）、ステップ１０４に戻り処理を繰り返し、原稿の次ページを複写しないと判定した場合（否定判定の場合）、図７のステップ１２４に移行する。
【００６２】
図７のステップ１２４では、削除部３４が、複写に失敗したページの複写物（以下、「複写物Ｐ」という。）を読み取るか否かを判定する。複写物Ｐを読み取ると判定した場合（肯定判定の場合）、ステップ１２６に移行し、複写物Ｐを読み取らないと判定した場合（否定判定の場合）、ステップ１４０に移行する。例えば、表示部１６のタッチパネルに「失敗ページの複写物を読み取りますか？」というメッセージを表示させ、「はい」が選択された場合、肯定判定となり、「いいえ」が選択された場合、否定判定となる。
【００６３】
ステップ１２６では、削除部３４が、一例として、後述の図８に示すように、複写物Ｐが所定の位置（図８に示す例では廃棄ボックス４２の上部）に置かれた状態で開始ボタンが操作されると、読取部（図８に示す例では読取部２２Ａ）に対して、複写物Ｐの読み取りを開始するように指示する。
【００６４】
ステップ１２８では、削除部３４が、ステップ１２６での読み取り開始の指示に応じて、読取部（図８に示す例では読取部２２Ａ）により複写物Ｐを読み取って得られた読取画像が、記憶部１４に記憶されている複写済み画像の中に存在するか否かを検索する。この画像の検索には、上述したように、公知のパターンマッチング法等が用いられる。なお、このパターンマッチング法を用いる場合に、複写物Ｐの読取画像及び複写済み画像の各々の特定部分のみを比較して、類似の判定を行うようにしてもよい。
【００６５】
ステップ１３０では、削除部３４が、ステップ１２８での検索の結果、読取画像が見つかったか否かを判定する。読取画像が見つかったと判定した場合（肯定判定の場合）、ステップ１３２に移行し、読取画像が見つからなかったと判定した場合（否定判定の場合）、ステップ１３６に移行する。
【００６６】
ステップ１３２では、削除部３４が、一例として、上述の図５に示すページＤＢ１４Ｄから、一例として、読取画像と一致する複写済み画像に対応付けられたページ情報を含むレコードを削除し、当該ページ情報のページを再複写可能な状態にする。
【００６７】
ステップ１３４では、機構制御部３６が、一例として、後述の図８に示すように、ステップ１３２でページ情報が削除された複写物Ｐを使用不可にする機構（図８に示す例では廃棄ボックス４２）に関する制御を行う。
【００６８】
ステップ１３６では、機構制御部３６が、表示部１６に、読取画像が見つからない旨のメッセージを表示する制御を行い、ステップ１３８に移行する。なお、検索の結果、複写済み画像の中に読取画像が見つからない場合、読取画像に対応するページ情報の削除は行われない。
【００６９】
ステップ１３８では、機構制御部３６が、失敗ページの複写物Ｐの残りがあるか否かを判定する。失敗ページの複写物Ｐの残りがあると判定した場合（肯定判定の場合）、ステップ１２６に移行し、失敗ページの複写物Ｐの残りがないと判定した場合（否定判定の場合）、ステップ１４０に移行する。
【００７０】
ステップ１４０では、機構制御部３６が、ステップ１１８で記憶部１４に記憶された複写済み画像を全て削除する。
【００７１】
ステップ１４２では、機構制御部３６が、ユーザによるログオフの操作に従って、ユーザのログオフを行い、本複写制御プログラム１４Ａによる一連の処理を終了する。
【００７２】
次に、図８〜図１０を参照して、複写物Ｐを使用不可にする機構について具体的に説明する。
【００７３】
図８は、複写物Ｐを使用不可にする機構として廃棄ボックス４２を適用した場合の画像形成装置１０Ａの動作の説明に供する図である。
図８では、画像形成装置１０Ａに設けられた廃棄ボックス４２の周辺構成を部分的に示している。なお、廃棄ボックス４２は、画像形成装置１０Ａと一体で構成されていなくてもよく、画像形成装置１０Ａの外部に別体で構成されていてもよい。
【００７４】
図８の（Ｓ１）には、定常状態における画像形成装置１０Ａを示す。この画像形成装置１０Ａは、原稿台４６の上部に設けられた原稿台カバー４４と、原稿台カバー４４の上部に設けられた廃棄ボックス４２と、を備えている。廃棄ボックス４２の左端には開閉可能なゲート４２Ａが設けられている。廃棄ボックス４２は内部が空洞になっており、ゲート４２Ａを開閉させて内部に複写物Ｐを収容可能としている。また、廃棄ボックス４２の左端側に隣接して、搬送ローラ４０が設けられている。搬送ローラ４０の下方には、搬送ローラ４０に対向して、複写物Ｐの読み取りを行うための読取部２２Ａが設けられている。なお、本実施形態に係る読取部２２Ａは、原稿読取部２２と同一の読取部として構成されていてもよいし、原稿読取部２２とは別の読取部として構成されていてもよい。
【００７５】
複写物Ｐが廃棄ボックス４２の上部にセットされ、複写物Ｐの読み取り開始が指示されると、ゲート４２Ａが開状態にされると共に、搬送ローラ４０が駆動して、複写物Ｐの読み取りが開始される。具体的に、図８の（Ｓ２）に示すように、複写物Ｐを搬送ローラ４０により廃棄ボックス４２の内部に向かう方向（図中矢印の方向）に搬送させながら、読取部２２Ａにより複写物Ｐの読み取りが行われる。
【００７６】
ここで、複写物Ｐを読み取って得られた読取画像が、記憶部１４に記憶されている複写済み画像の中に存在するか否かが判定される。判定の結果、読取画像が複写済み画像の中に存在する場合、図８の（Ｓ３）に示すように、複写物Ｐをそのまま廃棄ボックス４２の内部に収容して、ゲート４２Ａを閉状態とする。この廃棄ボックス４２は、アクセス権限を有していない一般のユーザは開けることができず、アクセス権限を有する特定の管理者のみが開けることが可能とされている。このため、廃棄ボックス４２の内部に収容された複写物Ｐは、適切なタイミングで特定の管理者により回収される。一方、判定の結果、読取画像が複写済み画像の中に存在しない場合、図８の（Ｓ４）に示すように、搬送ローラ４０を逆回転させて、複写物Ｐを廃棄ボックス４２の上部に向かう方向（図中矢印の方向）に搬送させ、複写物Ｐを廃棄ボックス４２から吐き出し、ゲート４２Ａを閉状態とする。なお、これらの動作は、機構制御部３６による制御に従って実行される。
【００７７】
図９は、複写物Ｐを使用不可にする機構として画像形成部２０を適用した場合の画像形成装置１０Ｂの動作の説明に供する図である。
図９では、画像形成装置１０Ｂに設けられた画像形成部２０の周辺構成を概略的に示している。
【００７８】
図９の（Ｓ１１）には、定常状態における画像形成装置１０Ｂを示す。この画像形成装置１０Ｂは、原稿台４６の上部に設けられた原稿台カバー４４と、原稿台４６の下方に設けられた画像形成部２０と、を備えている。画像形成装置１０Ｂの右側面には手差しトレイ４８が設けられている。また、手差しトレイ４８の差し入れ口の近傍には搬送ローラ４９が設けられている。搬送ローラ４９の上方には、搬送ローラ４９に対向して、複写物Ｐの読み取りを行うための読取部２２Ｂが設けられている。なお、本実施形態に係る読取部２２Ｂは、原稿読取部２２とは別の読取部として構成されている。
【００７９】
図９の（Ｓ１２）に示すように、複写物Ｐが手差しトレイ４８にセットされ、複写物Ｐの読み取り開始が指示されると、搬送ローラ４９が駆動して、複写物Ｐの読み取りが開始される。そして、図９の（Ｓ１３）に示すように、複写物Ｐを搬送ローラ４９により画像形成部２０に向かう方向（図中矢印の方向）に搬送させながら、読取部２２Ｂにより複写物Ｐの読み取りが行われる。
【００８０】
ここで、図８に示す例と同様に、複写物Ｐを読み取って得られた読取画像が、記憶部１４に記憶されている複写済み画像の中に存在するか否かが判定される。判定の結果、読取画像が複写済み画像の中に存在する場合、図９の（Ｓ１４）に示すように、画像形成部２０を用いて、複写物Ｐに記載の文字部分が識別不可になるように複写物Ｐに画像が形成された後に、複写物Ｐが外部に排出される。この画像としては、複写物Ｐに記載された文字部分を判読不可にするものであればよく、一例として、黒塗りや網掛け等が適用される。この画像は、複写物Ｐに記載の文字部分に対してのみ選択的に形成してもよいし、複写物Ｐに記載の文字部分を含む面全体に対して形成してもよい。一方、判定の結果、読取画像が複写済み画像の中に存在しない場合、画像形成部２０を用いて複写物Ｐに画像を形成することなく、複写物Ｐがそのまま外部に排出される。なお、これらの動作は、機構制御部３６による制御に従って実行される。
【００８１】
図１０は、複写物Ｐを使用不可にする読取機能付きシュレッダー１０Ｃの動作の説明に供する図である。
図１０では、画像形成装置１０（図１参照）とは別体で設けられた読取機能付きシュレッダー１０Ｃの要部構成を部分的に示している。この読取機能付きシュレッダー１０Ｃは、画像形成装置１０と電気的に接続されており、画像形成装置１０から制御可能な外部機器として構成されている。
【００８２】
図１０の（Ｓ２１）には、定常状態における読取機能付きシュレッダー１０Ｃを示す。この読取機能付きシュレッダー１０Ｃは、複写物Ｐの読取機能及び裁断機能を備えている。読取機能付きシュレッダー１０Ｃの上部には、複写物Ｐを挿入する挿入口５６が設けられている。また、挿入口５６の近傍には搬送ローラ５０が設けられている。搬送ローラ５０の左端側に隣接して、複写物Ｐの読み取りを行うための読取部２２Ｃが設けられている。また、搬送ローラ５０の下方には、搬送ローラ５０に対向して、複写物Ｐを裁断するためのカッター５２が設けられている。このカッター５２は、裁断装置の一例である。また、カッター５２の下方には、カッター５２により裁断されたダストを収容するためのダストボックス５４が設けられている。
【００８３】
複写物Ｐが挿入口５６にセットされ、複写物Ｐの読み取り開始が指示されると、搬送ローラ５０が駆動して、複写物Ｐの読み取りが開始される。具体的に、図１０の（Ｓ２２）に示すように、複写物Ｐを搬送ローラ５０により読取部２２Ｃに向かう方向（図中矢印の方向）に搬送させながら、読取部２２Ｃにより複写物Ｐの読み取りが行われる。
【００８４】
ここで、複写物Ｐを読み取って得られた読取画像が、記憶部１４に記憶されている複写済み画像の中に存在するか否かが判定される。判定の結果、読取画像が複写済み画像の中に存在する場合、図１０の（Ｓ２３）に示すように、搬送ローラ５０の駆動を制御して、複写物Ｐをカッター５２に向かう方向に搬送させる。この場合、複写物Ｐはカッター５２により裁断され、裁断されたダストがダストボックス５４に収容される。一方、判定の結果、読取画像が複写済み画像の中に存在しない場合、図１０の（Ｓ２４）に示すように、搬送ローラ５０の駆動を制御して、複写物Ｐを挿入口５６に向かう方向に搬送させ、複写物Ｐをそのまま挿入口５６から外部に排出する。なお、これらの動作は、機構制御部３６による制御に従って実行される。
【００８５】
このように本実施形態によれば、失敗ページの複写物を読み取り、得られた読取画像が複写済み画像の中に存在する場合に、当該失敗ページの再複写が許可される。このため、ユーザは複写に失敗しても、所望の複写物を得ることが可能とされる。
また、失敗ページの複写物は特定の機構を用いて使用不可にされる。このため、当該複写物に記載の情報が第三者に提供される等のリスクが軽減される。
更に、得られた読取画像が複写済み画像の中に存在しない場合、失敗ページの複写物は使用不可にされない。このため、失敗ページの複写物が不必要に使用不可にされることが抑制される。
【００８６】
以上、実施形態として画像形成装置を例示して説明した。実施形態は、画像形成装置が備える各部の機能をコンピュータに実行させるためのプログラムの形態としてもよい。実施形態は、このプログラムを記憶したコンピュータが読み取り可能な記憶媒体の形態としてもよい。
【００８７】
その他、上記実施形態で説明した画像形成装置の構成は、一例であり、主旨を逸脱しない範囲内において状況に応じて変更してもよい。
【００８８】
また、上記実施形態で説明したプログラムの処理の流れも、一例であり、主旨を逸脱しない範囲内において不要なステップを削除したり、新たなステップを追加したり、処理順序を入れ替えたりしてもよい。
【００８９】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【００９０】
１０、１０Ａ、１０Ｂ 画像形成装置
１０Ｃ 読取機能付きシュレッダー
１２   制御部
１２Ａ ＣＰＵ
１２Ｂ ＲＯＭ
１２Ｃ ＲＡＭ
１２Ｄ Ｉ／Ｏ
１４   記憶部
１４Ａ 複写制御プログラム
１４Ｂ ユーザＤＢ
１４Ｃ 原稿ＤＢ
１４Ｄ ページＤＢ
１６   表示部
１８   操作部
２０   画像形成部
２２   原稿読取部
２２Ａ〜２２Ｃ読取部
２４   通信部
３０   取得部
３２   登録部
３４   削除部
３６   機構制御部
４０、４９、５０搬送ローラ
４２   廃棄ボックス
４２Ａ ゲート
４４   原稿台カバー
４６   原稿台
４８   手差しトレイ
５２   カッター
５４   ダストボックス
５６   挿入口
【図１】
2020134696.tif 000003
【図２】
2020134696.tif 000004
【図３】
2020134696.tif 000005
【図４】
2020134696.tif 000006
【図５】
2020134696.tif 000007
【図６】
2020134696.tif 000008
【図７】
2020134696.tif 000009
【図８】
2020134696.tif 000010
【図９】
2020134696.tif 000011
【図１０】
2020134696.tif 000012